(57)【特許請求の範囲】
【請求項１】
給電ネットワークであって、前記給電ネットワークはプリント回路基板、ＰＣＢ上に配置され、前記ＰＣＢは、正４５度偏波ポート、負４５度偏波ポート、第１の正４５度偏波出力ポート、第２の正４５度偏波出力ポート、第１の負４５度偏波出力ポート、および第２の負４５度偏波出力ポートを備え、
前記正４５度偏波ポートおよび前記負４５度偏波ポートは、前記ＰＣＢ上にありかつ互いに対向する２つの縁上に、それぞれ配置され、
前記第１の正４５度偏波出力ポートおよび前記第２の正４５度偏波出力ポートは、対角に配置され、一対の出力ポートを形成し、
前記第１の負４５度偏波出力ポートおよび前記第２の負４５度偏波出力ポートは対角に配置され、一対の出力ポートを形成し、
前記給電ネットワークは第１の給電サブネットワークおよび第２の給電サブネットワークを備え、
前記第１の給電サブネットワークは第１のバラン装置、第１のマイクロストリップ、および第２のマイクロストリップを備え、
前記第１のバラン装置の入力端は、前記正４５度偏波ポートに接続され、前記第１のマイクロストリップは、前記第１のバラン装置の第１の出力端と前記第１の正４５度偏波出力ポートとの間に接続され、前記第２のマイクロストリップは、前記第１のバラン装置の第２の出力端と前記第２の正４５度偏波出力ポートとの間に接続され、
前記第１のマイクロストリップは前記第２のマイクロストリップに対して水平または垂直の状態にあり、前記第１のマイクロストリップおよび前記第２のマイクロストリップは等しい電気長および等しい４５オームの特性インピーダンス値を有し、前記第１の正４５度偏波出力ポートおよび前記第２の正４５度偏波出力ポートにおいて、信号の等しい振幅および１８０度の位相差をもたらし、
前記第２の給電サブネットワークは、第２のバラン装置、第３のマイクロストリップ、および第４のマイクロストリップを備え、
前記第２のバラン装置の入力端は前記負４５度偏波ポートに接続され、前記第３のマイクロストリップは、前記第２のバラン装置の第１の出力端と前記第１の負４５度偏波出力ポートとの間に接続され、前記第４のマイクロストリップは前記第２のバラン装置の第２の出力端と前記第２の負４５度偏波出力ポートとの間に接続され、
前記第３のマイクロストリップおよび前記第４のマイクロストリップは、前記第１のマイクロストリップおよび前記第２のマイクロストリップに対して４５度斜めの状態にあり、前記第３のマイクロストリップおよび前記第４のマイクロストリップは等しい電気長および等しい４５オームの特性インピーダンス値を有し、前記第１の負４５度偏波出力ポートおよび前記第２の負４５度偏波出力ポートにおいて、信号の等しい振幅および１８０度の位相差をもたらす
給電ネットワーク。
【請求項２】
前記第１のマイクロストリップおよび前記第２のマイクロストリップは、２．１６ｍｍの対応する線幅を有する
請求項１に記載の給電ネットワーク。
【請求項３】
前記第３のマイクロストリップおよび前記第４のマイクロストリップは、２．１６ｍｍの対応する線幅を有する
請求項１又は２に記載の給電ネットワーク。
【請求項４】
前記第１のバラン装置および前記第２のバラン装置は平面構造として配置される
請求項１から３の何れか一項に記載の給電ネットワーク。
【請求項５】
電磁ダイポールアンテナであって、前記電磁ダイポールアンテナは請求項１から４の何れか一項に記載の給電ネットワークを備え、
前記電磁ダイポールアンテナは、対角に配置される第１の給電柱および第２の給電柱と、対角に配置される第３の給電柱および第４の給電柱と、複数の前記給電柱の上方に配置される水平放射素子と、をさらに備え、
前記第１の給電柱および前記第２の給電柱はそれぞれ、前記給電ネットワークの第１の正４５度偏波出力ポートおよび第２の正４５度偏波出力ポートに接続し、
前記第３の給電柱および前記第４の給電柱はそれぞれ、前記給電ネットワークの第１の負４５度偏波出力ポートおよび第２の負４５度偏波出力ポートに接続する
電磁ダイポールアンテナ。
【請求項６】
アンテナであって、前記アンテナは、請求項１から４の何れか一項に記載の給電ネットワークを備える
アンテナ。
【請求項７】
二重偏波アンテナアレイ給電回路であって、前記回路は、請求項１から４の何れか一項に記載の給電ネットワークを４つ備え、
前記回路は正４５度偏波外部電源分割給電サブネットワーク及び負４５度偏波外部電源分割給電サブネットワークをさらに備え、
前記正４５度偏波外部電源分割給電サブネットワークは４つの出力端を有し、前記出力端の各々は、前記給電ネットワークの各々の正４５度偏波ポートに別々に接続され、
前記負４５度偏波外部電源分割給電サブネットワークは４つの出力端を有し、前記出力端の各々は、前記給電ネットワークの各々の負４５度偏波ポートに別々に接続される
二重偏波アンテナアレイ給電回路。
【請求項８】
二重偏波アンテナアレイ給電回路であって、前記回路は、請求項１から４の何れか一項に記載の給電ネットワークをｎ個備え、ｎは正の整数である
二重偏波アンテナアレイ給電回路。
【発明の詳細な説明】
【技術分野】
【０００１】
本願は、２０１２年１０月１０日に中国特許庁に出願された、「ＦＥＥＤＩＮＧ  ＮＥＴＷＯＲＫ，  ＡＮＴＥＮＮＡ，  ＡＮＤ  ＤＵＡＬ−ＰＯＬＡＲＩＺＥＤ  ＡＮＴＥＮＮＡ  ＡＲＲＡＹ  ＦＥＥＤＩＮＧ  ＣＩＲＣＵＩＴ」と題する中国特許出願第２０１２２０５１６６１３．７号の優先権を主張し、その全体が参照によって本明細書に組み込まれる。
【０００２】
本発明は、無線通信技術の分野に関し、特には、給電ネットワーク、アンテナ、および二重偏波アンテナアレイ給電回路に関する。
【背景技術】
【０００３】
複数のモバイル通信のための複数の基地局アンテナ技術の急速な発展および適用は、小型化され、統合された、多機能の（マルチバンド、マルチポール、および多目的の）基地局アンテナの開発方針を積極的に推進する。アンテナ給電ネットワークは、基地局アンテナサブシステムの重要な構成要素の１つであり、その高い性能および小型化は、基地局アンテナシステムのさらなる小型化を制限する重要な要因である。故に、高性能な小型化された基地局アンテナ給電ネットワークの設計は、アンテナ技術研究の中心となった。
【０００４】
現在、複数の基地局給電アンテナ技術についての多数の文献が国内外に存在する。２０１１年１２月２５日にＪｏｕｒｎａｌ  Ｔｅｌｅｃｏｍｍｕｎｉｃａｔｉｏｎｓ  Ｔｅｃｈｎｏｌｏｇｙに掲載された論文Ｉｍｐａｃｔ  ｏｆ  ａ  Ｍｉｎｉａｔｕｒｉｚｅｄ  Ｂａｓｅ  Ｓｔａｔｉｏｎ  Ａｎｔｅｎｎａが最も代表的である。その論文は主に、アンテナのサイズが１３４０ｍｍ×３８０ｍｍ×１００ｍｍであり、８０６−９６０ＭＨｚ、１７１０−２１７０ＭＨｚおよび１７１０−２１７０ＭＨｚに適用されうる３種類の周波数帯域の基地局アンテナについて説明している。
【０００５】
従来技術の基地局アンテナ給電ネットワークは複数の周波数帯域をカバーできるが、基地局アンテナ給電ネットワークのサイズが大きすぎ、新しい通信システムにおけるアンテナの小型化の要件を満たさないことがわかる。
【発明の概要】
【０００６】
本発明の複数の実施形態は、給電ネットワーク、アンテナ、および二重偏波アンテナアレイ給電回路を提供し、給電ネットワークは、比較的小さいサイズを有し、複数の周波数帯域をカバーできる。
【０００７】
本発明の実施形態は、給電ネットワークを提供し、その給電ネットワークはプリント回路基板ＰＣＢ上に配置され、ＰＣＢは、正４５度偏波ポート、負４５度偏波ポート、第１の正４５度偏波出力ポート、第２の正４５度偏波出力ポート、第１の負４５度偏波出力ポート、および第２の負４５度偏波出力ポート、を含み、給電ネットワークは第１の給電サブネットワークおよび第２の給電サブネットワークを含み、第１の給電サブネットワークは、第１のバラン装置、第１のマイクロストリップ、および第２のマイクロストリップを含み、第１のバラン装置の入力端は正４５度偏波ポートに接続され、第１のマイクロストリップは、第１のバラン装置の第１の出力端と第１の正４５度偏波出力ポートとの間に接続され、第２のマイクロストリップは、第１のバラン装置の第２の出力端と第２の正４５度偏波出力ポートとの間に接続され、第１のマイクロストリップ及び第２のマイクロストリップは等しい電気長および等しい特性インピーダンス値を有し、第１の正４５度偏波出力ポート及び第２の正４５度偏波出力ポートにおいて、信号の等しい振幅および１８０度の位相差をもたらし、第２の給電サブネットワークは、第２のバラン装置、第３のマイクロストリップ、および第４のマイクロストリップを含み、第２のバラン装置の入力端は、負４５度偏波ポートに接続され、第３のマイクロストリップは第２のバラン装置の第１の出力端と第１の負４５度偏波出力ポートとの間に接続され、第４のマイクロストリップは第２のバラン装置の第２の出力端と第２の負４５度偏波出力ポートとの間に接続され、第３のマイクロストリップおよび第４のマイクロストリップは等しい電気長および等しい特性インピーダンス値を有し、第１の負４５度偏波出力ポートおよび第２の負４５度偏波出力ポートにおいて、信号の等しい振幅および１８０度の位相差をもたらす。
【０００８】
本発明の実施形態は、電磁ダイポールアンテナをさらに提供し、電磁ダイポールアンテナは給電ネットワークを含み、電磁ダイポールアンテナは、対角に配置される第１の給電柱および第２の給電柱と、対角に配置される第３の給電柱および第４の給電柱と、複数の給電柱の上方に配置される水平放射素子と、をさらに含み、第１の給電柱および第２の給電柱は、それぞれ給電ネットワークの第１の正４５度偏波出力ポートおよび第２の正４５度偏波出力ポートに接続すべく構成され、第３の給電柱および第４の給電柱は、それぞれ給電ネットワークの第１の負４５度偏波出力ポートおよび第２の負４５度偏波出力ポートに接続すべく構成される。
【０００９】
本発明の実施形態は、アンテナをさらに提供し、アンテナは給電ネットワークを含む。
【００１０】
本発明の実施形態は二重偏波アンテナアレイ給電回路をさらに提供し、回路は４つの給電ネットワークを含み、回路は正４５度偏波外部電源分割給電サブネットワークおよび負４５度偏波外部電源分割給電サブネットワークをさらに含み、正４５度偏波外部電源分割給電サブネットワークは４つの出力端を有し、各出力端は各給電ネットワークの正４５度偏波ポートに別々に接続され、負４５度偏波外部電源分割給電サブネットワークは４つの出力端を有し、各出力端は各給電ネットワークの負４５度偏波ポートに別々に接続される。
【００１１】
本発明の実施形態は、二重偏波アンテナアレイ給電回路をさらに提供し、回路はｎ個の給電ネットワークを含む。ここでｎは正の整数である。
【００１２】
本発明の複数の実施形態において説明される給電ネットワークにおいて、バラン装置は各信号入力ポート上に配置される。信号入力ポートによって入力される励磁電流信号は等しい振幅および反対の位相を有する２つの電流信号へと分割され、２つの電流信号は、等しい電気長および等しい特性インピーダンス値を有する一対のマイクロストリップを用いることによって、信号入力ポートに対応する複数の信号出力ポートへそれぞれ送信され、２つの信号出力ポートにおいて、信号の等しい振幅および１８０度の位相差をもたらす。
【００１３】
既存の給電ネットワークと比較して、本発明の複数の実施形態においては、２つのバラン装置が追加的に配置される。故に、給電ネットワークのサイズを増大させないことに基づいて、給電ネットワークが比較的小さいサイズを有し、複数の周波数帯域をカバーできるように、給電ネットワークの周波数帯域のカバレッジ範囲は拡張される。
【図面の簡単な説明】
【００１４】
発明の複数の実施形態における、または従来技術における複数の技術的解決法をより明確に説明すべく、以下に複数の実施形態を説明するために必要とされる複数の添付の図面を簡単に紹介する。明らかに、以下の説明における複数の添付の図面は本発明のいくつかの実施形態を示しているに過ぎず、当業者は創造努力なしにこれらの複数の添付の図面から他の複数の図面をさらに導出しうる。
【００１５】
【図１】本発明の実施形態による、給電ネットワークの物理的構造図である。
【００１６】
【図２】本発明の実施形態による、第１の給電サブネットワークの物理的構造図である。
【００１７】
【図３】本発明の実施形態による、第２の給電サブネットワークの物理的構造図である。
【００１８】
【図４】図１に示される給電ネットワークの正４５度偏波ポートのＳ１１パラメータの線グラフである。
【００１９】
【図５】図１に示される給電ネットワークの正４５度偏波ポートおよび負４５度偏波ポートのＳ１２パラメータの線グラフである。
【００２０】
【図６】本発明の実施形態による、電磁ダイポールアンテナの構造図である。
【００２１】
【図７】本発明の実施形態による、二重偏波アンテナアレイ給電回路の構造図である。
【発明を実施するための形態】
【００２２】
本発明の複数の実施形態における複数の添付の図面を参照して、以下に本発明の複数の実施形態における複数の技術的解決法を明確におよび完全に説明する。明らかに、説明される複数の実施形態は、本発明の複数の実施形態の全てではなく一部に過ぎない。創造努力なく本発明の複数の実施形態に基づき当業者によって得られる全ての他の実施形態は、本発明の保護の範囲に含まれる。
【００２３】
本発明の複数の実施形態は本発明を提供する。本発明は、無線通信技術の分野に関し、特に、給電ネットワーク、アンテナ、および二重偏波アンテナアレイ給電回路に関し、給電ネットワークは、比較的小さいサイズを有し、複数の周波数帯域をカバーできる。
【００２４】
図１を参照すると、図１は本発明の実施形態による、給電ネットワークの物理的構造図である。給電ネットワークはＰＣＢ（プリント回路基板）１０上に配置される。
【００２５】
ＰＣＢ１０上には、２つの信号入力ポートおよび４つの信号出力ポートが配置される。
【００２６】
図１に示されるように、２つの信号入力ポートはそれぞれ、正４５度偏波ポートＭ１および負４５度偏波ポートＭ２である。
【００２７】
４つの信号出力ポートはそれぞれ、正４５度偏波ポートＭ１に対応する第１の正４５度偏波出力ポートＰ１および第２の正４５度偏波出力ポートＰ３、および負４５度偏波ポートＭ２に対応する第１の負４５度偏波出力ポートＱ１および第２の負４５度偏波出力ポートＱ３である。
【００２８】
具体的には、正４５度偏波ポートＭ１および負４５度偏波ポートＭ２は、ＰＣＢ１０上にありかつ互いに対向する２つの縁上に、それぞれ配置される。第１の正４５度偏波出力ポートＰ１および第２の正４５度偏波出力ポートＰ３は、対角に配置され、一対の出力ポートを形成する。第１の負４５度偏波出力ポートＱ１および第２の負４５度偏波出力ポートＱ３は対角に配置され、一対の出力ポートを形成する。
【００２９】
正４５度偏波ポートＭ１は励磁電流を受け取り、励磁電流は、マイクロストリップを用いることによって第１の正４５度偏波出力ポートＰ１および第２の正４５度偏波出力ポートＰ３に別々に送られ、外部接続された給電柱は、第１の正４５度偏波出力ポートＰ１および第２の正４５度偏波出力ポートＰ３を用いることによって給電される。
【００３０】
負４５度偏波ポートＭ２は励磁電流を受け取り、励磁電流は、マイクロストリップを用いることによって第１の負４５度偏波出力ポートＱ１および第２の負４５度偏波出力ポートＱ３に別々に送られ、外部接続された給電柱は第１の負４５度偏波出力ポートＱ１および第２の負４５度偏波出力ポートＱ３を用いることによって給電される。
【００３１】
図１に示されるように、給電ネットワークは第１の給電サブネットワークおよび第２の給電サブネットワークを含む。
【００３２】
図２は、本発明の実施形態による、第１の給電サブネットワークの物理的構造図である。図２に示されるように、第１の給電サブネットワークは、第１のバラン（平衡−不平衡変換）装置１０１、第１のマイクロストリップ１０２、および第２のマイクロストリップ１０３を含む。
【００３３】
第１のバラン装置１０１の入力端は正４５度偏波ポートＭ１に接続され、第１のマイクロストリップ１０２は、第１のバラン装置１０１の第１の出力端と第１の正４５度偏波出力ポートＰ１との間に接続され、第２のマイクロストリップ１０３は、第１のバラン装置１０１の第２の出力端と第２の正４５度偏波出力ポートＰ３との間に接続される。
【００３４】
第１のバラン装置１０１は正４５度偏波ポートＭ１によって入力される励磁電流信号Ａを受信し、等しい振幅および反対の位相を有する第１の電流信号Ｂ１及び第２の電流信号Ｂ３を出力する。
【００３５】
第１のバラン装置１０１と、第１のマイクロストリップ１０２並びに第２のマイクロストリップ１０３とは、別々に電気的接続状態にある。第１のマイクロストリップ１０２は、第１のバラン装置１０１から出力される第１の電流信号Ｂ１を第１の正４５度偏波出力ポートＰ１へ伝送する。第２のマイクロストリップ１０３は、第１のバラン装置１０１から出力される第２の電流信号Ｂ３を第２の正４５度偏波出力ポートＰ３へ伝送する。
【００３６】
第１のマイクロストリップ１０２および第２のマイクロストリップ１０３は等しい電気長および等しい特性インピーダンス値を有し、第１の正４５度偏波出力ポートＰ１および第２の正４５度偏波出力ポートＰ３において、信号の等しい振幅および１８０度の位相差をもたらす。
【００３７】
図３は、本発明の実施形態による、第２の給電サブネットワークの物理的構造図である。図３に示されるように、第２の給電サブネットワークは、第２のバラン装置１０５、第３のマイクロストリップ１０４、および第４のマイクロストリップ１０６を含む。
【００３８】
第２のバラン装置１０５の入力端は負４５度偏波ポートＭ２に接続され、第３のマイクロストリップ１０４は、第２のバラン装置１０５の第１の出力端と第１の負４５度偏波出力ポートＱ１との間に接続され、第４のマイクロストリップ１０６は、第２のバラン装置１０５の第２の出力端と第２の負４５度偏波出力ポートＱ３との間に接続される。
【００３９】
第２のバラン装置１０５は、負４５度偏波ポートＭ２によって入力される励磁電流信号Ｂを受信し、等しい振幅および反対の位相を有する第３の電流信号Ａ１および第４の電流信号Ａ３を出力する。
【００４０】
第２のバラン装置１０５と、第３のマイクロストリップ１０４並びに第４のマイクロストリップ１０６とは、別々に電気的接続状態にある。第３のマイクロストリップ１０４は、第２のバラン装置１０５から出力される第３の電流信号Ａ１を第１の負４５度偏波出力ポートＱ１へ伝送する。第４のマイクロストリップ１０６は、第２のバラン装置１０５から出力される第４の電流信号Ａ３を第２の負４５度偏波出力ポートＱ３へ伝送する。
【００４１】
第３のマイクロストリップ１０４および第４のマイクロストリップ１０６は等しい電気長および等しい特性インピーダンス値を有し、第１の負４５度偏波出力ポートＱ１および第２の負４５度偏波出力ポートＱ３において、信号の等しい振幅および１８０度の位相差をもたらす。
【００４２】
本発明のこの実施形態において説明される給電ネットワークにおいて、バラン装置は各信号入力ポート上に配置される。信号入力ポートによって入力される励磁電流信号は等しい振幅および反対の位相を有する２つの電流信号へと分割され、２つの電流信号は、等しい電気長および等しい特性インピーダンス値を有する一対のマイクロストリップを用いることによって、信号入力ポートに対応する複数の信号出力ポートへそれぞれ送信され、２つの信号出力ポートにおいて、信号の等しい振幅および１８０度の位相差をもたらす。
【００４３】
既存の給電ネットワークと比較して、本発明のこの実施形態においては、２つのバラン装置が追加的に配置される。故に、給電ネットワークのサイズを増大させないことに基づいて、給電ネットワークが比較的小さいサイズを有し、複数の周波数帯域をカバーできるように、給電ネットワークの周波数帯域のカバレッジ範囲は拡張される。
【００４４】
図１から図３は本発明のこの実施形態において提供される給電ネットワークの好適な設計的解決法を示しているということに注意すべきである。確かに、その解決法は本発明の好適な実装形態に過ぎず、本発明の別の実施形態においては、給電ネットワークの実装形態は、限定されないが、図１に示される形態であってよい。
【００４５】
図１に示されるように、ＰＣＢ１０の比誘電率はＥｒ＝２．５６であり、ＰＣＢ１０の厚さは０．７６ｍｍである。
【００４６】
第１の給電サブネットワークの第１のマイクロストリップ１０２および第２のマイクロストリップ１０３は、水平−垂直のマイクロストリップ群を形成する。  具体的には、第１のマイクロストリップ１０２は第２のマイクロストリップ１０３に対して水平の状態にあり、第２のマイクロストリップ１０３は第１のマイクロストリップ１０２に対して垂直の状態にある。加えて、第１のマイクロストリップ１０２および第２のマイクロストリップ１０３は等しい電気長、４５オームの特性インピーダンス値、および２．１６ｍｍの対応する線幅を有する。
【００４７】
第２の給電サブネットワークの第３のマイクロストリップ１０４および第４のマイクロストリップ１０６は、４５度傾斜したマイクロストリップ群を形成する。具体的には、第３のマイクロストリップ１０４および第４のマイクロストリップ１０６の両方は、４５度斜めの状態にあり、第３のマイクロストリップ１０４および第４のマイクロストリップ１０６は、等しい電気長、４５オームの特性インピーダンス値、および２．１６ｍｍの対応する線幅を有する。
【００４８】
第１のバラン装置１０１および第２のバラン装置１０５は、給電ネットワークのサイズを縮小すべく、平面構造として配置されてよい。
【００４９】
図１に示される給電ネットワークは、わずか６０ｍｍ×６０ｍｍ×０．７６ｍｍのサイズしか有さない。図１に示される給電ネットワークおよび２つのバラン装置の構造設計を用いることによって、給電ネットワークのカバレッジ周波数帯域は１．７１−２．６９ＧＨｚになりうる。故に、給電ネットワークの周波数帯域のカバレッジ範囲は、給電ネットワークが比較的小さいサイズを有し、複数の周波数帯域をカバーできるように、給電ネットワークのサイズができる限り小さいということに基づいて拡張される。
【００５０】
図４は、図１に示される給電ネットワークの正４５度偏波ポートのＳ１１パラメータの線グラフである。図５は、図１に示される給電ネットワークの正４５度偏波ポートおよび負４５度偏波ポートのＳ１２パラメータの線グラフである。図４および図５において、水平座標は周波数（ＧＨｚ）を表し、垂直座標はＳパラメータ（ｄＢ）を表す。
【００５１】
図４に示されるように、本発明のこの実施形態における給電ネットワークの正４５度偏波ポートの全てのＳ１１パラメータは、帯域幅全体に渡って−１４ｄＢよりも小さく、図５に示されるように、給電ネットワークの正４５度偏波ポートおよび負４５度偏波ポートの全てのＳ１２パラメータは、帯域幅全体に渡って−２５ｄＢよりも小さい。これは、給電ネットワークが２５ｄＢよりも大きい偏波アイソレーションを帯域幅全体に渡って有していることを示しており、それは給電ネットワークが良好な回路性能を有していることを示す。
【００５２】
図６は本発明の実施形態による、電磁ダイポールアンテナの構造図である。図６に示されるように、電磁ダイポールアンテナは、図１に示される給電ネットワーク２０を含む。給電ネットワークはＰＣＢ３０上に配置される。
【００５３】
４つの給電柱２０１から２０４は、電磁ダイポールアンテナ上に配置され、それぞれ、給電ネットワーク２０の４つの信号出力ポートＰ１、Ｐ３、Ｑ１、およびＱ３に接続すべく構成される。水平放射ユニット２０５は４つの給電柱２０１から２０４の上方にある。給電柱は、アンテナの放射機能を実装すべく、給電柱に接続された各信号出力ポートから出力される電気信号を受信し、外へ電磁波を放射し、信号を水平放射ユニット２０５に結合すべく構成される。
【００５４】
具体的には、電磁ダイポールアンテナは、第１の給電柱２０１、第２の給電柱２０２、第３の給電柱２０３、第４の給電柱２０４、および水平放射ユニット２０５を含む。
【００５５】
第１の給電柱２０１および第２の給電柱２０２は対角に配置され、第３の給電柱２０３および第４の給電柱２０４は対角に配置され、水平放射ユニット２０５は４つの給電柱２０１から２０４の上方にある。
【００５６】
第１の給電柱２０１および第２の給電柱２０２は、給電ネットワーク２０の第１の正４５度偏波出力ポートＰ１および第２の正４５度偏波出力ポートＰ３にそれぞれ接続すべく構成される。第３の給電柱２０３および第４の給電柱２０４は、給電ネットワーク２０の第１の負４５度偏波出力ポートＱ１および第２の負４５度の偏波出力ポートＱ３にそれぞれ接続すべく構成される。
【００５７】
給電ネットワーク２０の物理的構造および動作原理は、上述の実施形態における説明と同じであり、詳細は本明細書では再度説明されない。
【００５８】
本発明のこの実施形態における電磁ダイポールアンテナにおいては、本発明の実施形態において説明される給電ネットワークが用いられる。バラン装置は各信号入力ポート上に配置される。信号入力ポートによって入力される励磁電流信号は等しい振幅および反対の位相を有する２つの電流信号に分割され、２つの電流信号は、等しい電気長および等しい特性インピーダンス値を有する一対のマイクロストリップによって、信号入力ポートに対応する複数の信号出力ポートへとそれぞれ送信され、２つの信号出力ポートにおいて、信号の等しい振幅および１８０度の位相差をもたらす。
【００５９】
本発明のこの実施形態において、２つのバラン装置は追加的に配置される。故に、電磁ダイポールアンテナのサイズを増大させないことに基づいて、電磁ダイポールアンテナが比較的小さいサイズを有し、複数の周波数帯域をカバーできるように、電磁ダイポールアンテナの周波数帯域のカバレッジ範囲は拡張される。
【００６０】
本発明の上述の実施形態は、電磁ダイポールアンテナを提供する。  実際の適用において、本発明において説明される給電ネットワークは、アンテナのサイズを大きくさせないことに基づいて、アンテナの周波数帯域のカバレッジ範囲を拡張する目的を達成すべく、限定はしないが、電磁ダイポールアンテナに適用されてよく、既存の形態のアンテナに適用されてよい。
【００６１】
故に、本発明のこの実施形態は、上述した複数の実施形態における給電ネットワークを含むアンテナをさらに含みうる。
【００６２】
図７は、本発明の実施形態による、二重偏波アンテナアレイ給電回路の構造図である。二重偏波アンテナアレイ給電回路は、図１に示される４つの給電ネットワーク４０１から４０４、正４５度偏波外部電源分割給電サブネットワーク４０５、および負４５度偏波外部電源分割給電サブネットワーク４０６を含む。
【００６３】
図７に示されるように、正４５度偏波外部電源分割給電サブネットワーク４０５は４つの出力端を有し、１つの信号を４つの信号へと分割する機能を達成する。各出力端は、正４５度偏波アンテナアレイが全体として、１つの信号を８つの信号へと分割する機能を達成するように、各給電ネットワークの正４５度偏波ポートＭ１に別々に接続され、各正４５度偏波アンテナに給電する。
【００６４】
負４５度偏波外部電源分割給電サブネットワーク４０６は４つの出力端を有し、１つの信号を４つの信号へと分割する機能を達成する。各出力端は、負４５度偏波アンテナアレイが全体として、１つの信号を８つの信号に分割する機能を達成するように、各給電ネットワークの負４５度偏波ポートＭ２に別々に接続され、各負４５度偏波アンテナに給電する。
【００６５】
故に、図７に示される二重偏波アンテナアレイ給電回路は２入力１６出力の給電ネットワークを形成する。
【００６６】
本発明のこの実施形態において説明される二重偏波アンテナアレイ給電回路においては、本発明の実施形態において説明される給電ネットワークが用いられる。バラン装置は各信号入力ポート上に配置される。信号入力ポートによって入力される励磁電流信号は、等しい振幅および反対の位相を有する２つの電流信号へと分割され、２つの電流信号は、等しい電気長および等しい特性インピーダンス値を有する一対のマイクロストリップを用いることによって、信号入力ポートに対応する複数の信号出力ポートにそれぞれ送信され、２つの信号出力ポートにおいて、信号の等しい振幅及び１８０度の位相差をもたらす。
【００６７】
本発明のこの実施形態において、２つのバラン装置が追加的に配置される。故に、二重偏波アンテナアレイのサイズを増大させないことに基づいて、二重偏波アンテナアレイが比較的小さいサイズを有し、複数の周波数帯域をカバーできるように、二重偏波アンテナアレイの周波数帯域のカバレッジ範囲は拡張される。
【００６８】
本発明の上述の実施形態は、二重偏波アンテナアレイ給電回路の特定の実装形態を提供し、二重偏波アンテナアレイ給電回路は４つの給電ネットワークを含む。実際の適用において、本発明において説明される二重偏波アンテナアレイ給電回路は、限定はしないが、４つの給電ネットワークを含んでよく、実際には、任意の正の整数である数の給電ネットワークを含んでよい。
【００６９】
故に、本発明のこの実施形態は、二重偏波アンテナアレイ給電回路をさらに提供する。この二重偏波アンテナアレイ給電回路は図１に示されるｎ個の給電ネットワークを含み、ｎは正の整数である。
【００７０】
上述のものは、本発明の詳細な説明を提供する。この発明は、無線通信技術の分野に関し、特に、給電ネットワーク、アンテナ、および二重偏波アンテナアレイ給電回路に関する。複数の特定の例がこの明細書において用いられて、本発明の原理および複数の実装を説明する。上述の複数の実施形態は、本発明の方法およびアイデアの理解を助けるものに過ぎない。加えて、複数の実装および適用範囲に関して、複数の変更が本発明のアイデアに従い当業者によって成されうる。結論として、本明細書の内容は、本発明についての限定として解釈されるべきではない。
【図１】
0006296570.tif 000002
【図２】
0006296570.tif 000003
【図３】
0006296570.tif 000004
【図４】
0006296570.tif 000005
【図５】
0006296570.tif 000006
【図６】
0006296570.tif 000007
【図７】
0006296570.tif 000008